(57)【要約】【課題】    単管、複数管にかかわらずホースの意図した部分を必要に応じて屈曲させ、その屈曲を保持することによりホース自体で放水方向の固定又はホースのホース自体での設置等に役立つもの【解決手段】    ホースの外壁に巻き付けて取り付ける機能を持ちかつ柔軟で剛性力を持つものをホースに屈曲形状を持たせたいと思う部分のホースの外壁に巻き付けて取り付ける。取り付けた部分に力を加え意図した屈曲を作る。そしてホースの外壁に巻き付けて取り付ける機能を持ちかつ柔軟で剛性力を持つものの持つ剛性力によりその屈曲形状を保持し、その屈曲形状によってホース自体で放水方向の固定又は、ホース自体で容器の縁などにはさみ込むことにより設置等を行なうのに役立たせる。【選択図】図１
2017026133.tif 000002
【特許請求の範囲】
【請求項１】
単数本又は複数本の可とう性のある長い物体の外壁に巻き付けて取り付ける機能を持ちかつ柔軟で剛性力を持つものを巻き付けて取り付け又は複数本の場合は、巻き付けて束ね取り付けたその部分に力を加え必要な屈曲を作りその屈曲を柔軟で剛性力を持つものの剛性力で保持させ単数本又は複数本の可とう性のある長い物体自体での配置または設置または整理等に役立つもの。
【発明の詳細な説明】
【技術分野】
【０００１】  本発明は、市販されているホースを設置するとき柔軟で剛性力を持つものをホースの外壁に巻き付けて取り付けその部分に力をかけ必要な屈曲をさせ、その屈曲を柔軟で剛性力を持つものの剛性力で保持しホース自体での設置等に役立だせることに関するものである。
【背景技術】
【０００２】  ホースで引いて水を水槽等に入れる時、散水するためのホースを設置する時、まっすぐな状態で放置しても自然にある程度の巻き戻りや水圧などのため意図する放水方向に固定する事が難しい。【０００３】  そのためホース先端を設置したいところ付近にあるものに紐や針金等でとめて水の放水方向を固定しなければならない煩わしさがある。【０００４】  また、ホースを曲げて設置する必要がある時なども同様で、屈曲させる必要のあるところ付近に屈曲させる必要のある形状の型等を設置しホースをはめ込むか、屈曲させる必要のあるところ付近にあるものに紐や針金等で縛ってホースを屈曲させ、意図した設置したい形に固定しなければならない煩わしさもある。【０００５】  さらに複数管のホース群の場合も単管と同様で放水方向を固定するとき、紐や針金等で束ねまとめて放水方向を固定する必要がある。【０００６】  複数管のホース群を曲げて設置する必要がある時などの場合も、屈曲させる必要のあるところ付近に型等を設置して複数管のホース群はめ込むかまたは、屈曲させる必要のあるところ付近にあるものに紐や針金等で複数管のホース群を束ね縛ってホース群を屈曲させ、意図した設置したい形に固定しなければならないため、これらも煩わしさがある。
【先行技術文献】
【特許文献】
【０００７】
【特許文献１】  特開平７−１６７３７４
【発明の概要】
【発明が解決しようとする課題】
【０００８】    単管、複数管にかかわらずホースの意図した部分を必要に応じて屈曲させ、その屈曲を保持することによりホース自体で放水方向の固定又はホースのホース自体での設置等に役立つものを課題とする。
【課題を解決するための手段】
【０００９】  本発明は、上記課題を解決するためホースの外壁に巻き付けて取り付ける機能を持ちかつ柔軟で剛性力を持つものをホース屈曲保持器とし、このホース屈曲保持器をホースに屈曲形状を持たせたいと思う部分のホースの外壁に巻き付けて取り付ける。取り付けた部分に力を加え意図した屈曲を作る。そしてホース屈曲保持器の持つ剛性力によりその屈曲形状を保持し、その屈曲形状によって図１（ホース屈曲保持器を使用した例）の様にホース自体で放水方向の固定又は、ホース自体で容器の縁などにはさみ込むことにより設置等を行なうのに役立たせる。【００１０】  ホースの径とホース自体の柔軟性の度合いに合わせ、ホースに作る意図する屈曲を保持するために必要とするホース屈曲保持器部の剛性力がさほど必要でない場合、すでに作られたホース屈曲保持器の巻き付け方向の長さを切って短くすることにより、ホースに作る意図する屈曲を保持するホース屈曲保持器部の剛性力を小さくすることができる。またホースに作る意図する屈曲を保持するために必要とするホース屈曲保持器部の剛性力をさらに必要とする場合、ホース屈曲保持器の巻き付け方向の長さをさらなるホース屈曲保持器を追加して巻き付けて取り付け長くすることができこれによりホース屈曲保持器部分のホースに作る意図する屈曲を保持に必要とする剛性力を大きくすることができる。このようにホース屈曲保持器は、ホース屈曲保持器部の必要とする剛性力を調整することができる。【００１１】  また、単管のみならず複数管のホース群についても同様であり、複数管のホース群にホース屈曲保持器を巻き付けて取り付け束を作り、巻き付けて取り付けて束としたホース屈曲保持器部に力を加え必要な屈曲を作り屈曲をホース屈曲保持器の剛性力により保持し図２（複数管のホース群にホース屈曲保持器を使用した例）の様に複数管のホース群自体で容器の縁などにはさみ込むことにより複数管のホース群自体での設置等を行なうのに役立たせる。
【発明の効果】
【００１２】  ホースは、ホース自体のある程度の巻き戻りや水圧などのため、ホースを単独で放置状態のホースの形を調整して配置等をしても意図する方向に水を放水することは難しい。ところが本発明のホース屈曲保持器を使うことにより、ホースの巻き戻る力や水圧等を抑えかつ意図するする方向に水を放水するため図１の様にホースを屈曲させ容器の縁にはさみ押さえつけることができるようになる。これによりホース自体での配置や設置等に役立ちかつ自立した放置状態で意図する方向に水を放水することができる様になる。【００１３】  また、ホース屈曲保持器は建物の壁等に沿わせてホースの配管を配置する場合、最初にホースを巻き戻り等がある状態で地面に又は床に単に置く、次に配置した状態を見て壁の曲がり角に沿わせるためにホースに屈曲をさせる必要があると思う場所に本発明のホース屈曲保持器を巻き付けて取り付ける。巻き付けて取り付けたホース屈曲保持器に力を加えて壁の曲がり角に合わせ必要な屈曲を持たせる。これらのことができるため図３（建物の壁に沿わせて配管した使用例）に示すように小領域内で壁に沿わせ配管を配置することができる様になる。【００１４】  ホース配管を配置する場合、ホース屈曲保持器を使用すればホースの屈曲保持場所を前もって決めておかなくとも最初にホースを巻き戻り等がある状態で地面に又は床に単に置き配置した状態を見ながらホースにおける屈曲保持場所の随時判断決定を行い、ホース屈曲保持器を巻き付けて取り付けることが出来る。このため作業が容易である。当然ながら取り付けたホース屈曲保持器が破損した場合もその壊れたところのホース屈曲保持器を新しいホース屈曲保持器に簡単に取り替えることができ配管を配置の作業および修繕作業が容易にできる様になる。【００１５】  また、複数管のホース群をまとめて対処する場合、ホース屈曲保持器を使用すればそれぞれのホースの巻き戻る力等を抑え込んで束ねることができ、複数管のホース群も単管のホースと同様に複数管のホース群自体で放水方向の固定又はホースのホース自体での設置等ができる様になる。【００１６】  そして複数管のホース群のホースを整理し配置設置しようとする場合、束ねたり屈曲させたりすることが出来るホース屈曲保持器を使用することは、複数管のホース群のホースを整理し配置設置するのに極めて役立つ様になる。【００１７】  本発明品のホース屈曲保持器は、ホース屈曲保持器の柔軟で剛性力を持つ材料の材質と構造を選ぶことで当然ながらホースだけでなく電気配線等の可とう性のある長い物体すべてに利用してホースと同様の役立ちを得る様になる。
【図面の簡単な説明】
【００１８】
【図１】  ホース屈曲保持器を使用した例
【図２】  複数管のホース群にホース屈曲保持器を使用した例
【図３】  建物の壁に沿わせて配管した使用例
【図４】  ワイヤー線配置した例
【図５】  ワイヤー線を柔軟な物質で覆ったシート例
【図６】  粘着剤と紐を付けたホース屈曲保持器の例
【図７】  ホース屈曲保持器の取り付け様子例
【図８】  ホース屈曲保持器取り付け済み状態例
【発明を実施するための形態】
【００１９】  単管、複数管のホースに曲げたいところ、束ねて曲げたいところにホース屈曲保持器を巻き付け取り付け、その部分に力を加えて必要な屈曲を作りその屈曲をホース屈曲保持器の剛性力により保持しホース自体での設置等に役立たせることを実現した。
【実施例１】
【００２０】  ワイヤー線を図４（ワイヤー線配置した例）の様な形状に配置し柔軟な物質でこのワイヤー線を覆いシートとして図５（ワイヤー線を柔軟な物質で覆ったシート例）の様にする。そしてこの図５のシートの片面全面に粘着剤をそして両端に紐をつけて図６（粘着剤と紐を付けたホース屈曲保持器の例）の様にする。ホースの径とホース自体の柔軟性の度合いに合わせホースの屈曲を保持するのに必要とする図６のホース屈曲保持器の剛性力を確認し、もし必要があればホース屈曲保持器のホース外壁円周方向の長さを調整して必要な剛性力に設定する。【００２１】  図７（ホース屈曲保持器の取り付け様子例）の様に屈曲を持たせたいと思う部分の長さより十分に長い部分を覆うことの出来るホース屈曲保持器を巻き付けて取り付ける。そして図８（ホース屈曲保持器取り付け済み状態例）の様に巻き付けて取り付けられたシートは、粘着剤と締め結んだ紐によりホースに固定される。そのホースに巻き付けて取り付けられたホース屈曲保持器の部分を屈曲したいと思っている形状に屈曲させその屈曲をホース屈曲保持器の剛性力により保持しホース自体で容器の縁などに図１の様にはさみ込む。これによりホース自体での設置等を行なうことができる。
【産業上の利用可能性】
【００２２】  本発明品のホース屈曲保持器は、ホース屈曲保持器の柔軟で剛性力を持つ材料の材質と構造を選ぶことで当然ながらホースだけでなく電気配線等の可とう性のある長い物体すべてに利用でき複数本の可とう性のある長い物体に巻き付けて取り付け又は巻きつけて束ね、そして取り付け又は巻き付け束ねたホース屈曲保持器部を必要な形状に屈曲させ、その屈曲を保ちさらにホース屈曲保持器の外装に色や名称等の識別表示を付けることにより、配線等を極めてわかりやすく整理配置できる可能性がある。【００２３】  また振動伝達においても、可とう性のある長い物体の必要な部分に材料と構造を選んだホース屈曲保持器を巻き付けて取り付けることによって他の部分より重い重さに調整でき、自己振動共振点を変えることができる。さらにそのホース屈曲保持器部を必要な形状に屈曲しその屈曲を保つことにより隣接の物体との接触等を避けることもできるため、ホース屈曲保持器は隣接の物体からの振動伝播の防止ができる可能性がある。【００２４】  さらに外的力や摩擦においても、可とう性のある長い物体に外的力や摩擦が加えられる部分の保護に関して外的力や摩擦をよく検討した材料と構造を選ぶことにより外的力又は、摩擦等に十分対抗できるホース屈曲保持器を得ることができ、外的力が加えられる部分によく検討したホース屈曲保持器を巻き付けて取り付けることにより外的力等を逸らし、可とう性のある長い物体の外周面の摩擦等による磨耗や破損を防止するのに利用できる可能性がある。【００２５】  また可とう性のある長い物体の電磁的影響を受けやすい部分に電磁遮蔽に有効な材料と構造を考慮されたホース屈曲保持器を使用すれば電磁的影響を受けやすい部分を電磁遮蔽することができまた、電磁的影響を受けやすいその部分を必要な形状に曲げ屈曲を保つことにより問題の電磁的影響発生部分からの距離を離すこことができるため、電磁的干渉の防止等に利用できる可能性がある。【００２６】  これらのことから本発明は、一般日常生活の用途だけでなく産業機器用の用途を含む広い範囲で利用できる可能性がある。
【符号の説明】
【００２７】  １    ホース
２    ホース屈曲保持器
３    容器
４    複数管のホース群
５    建物の壁
６    ワイヤー線
７    柔軟な物質
８    ワイヤー線を柔軟な物質で覆ったシート
９    粘着剤
１０  紐
１１  粘着面
【図１】
2017026133.tif 000003
【図２】
2017026133.tif 000004
【図３】
2017026133.tif 000005
【図４】
2017026133.tif 000006
【図５】
2017026133.tif 000007
【図６】
2017026133.tif 000008
【図７】
2017026133.tif 000009
【図８】
2017026133.tif 000010